(57)【要約】【課題】管理サーバにネットワークを介して接続されたユーザ端末を用いて、ユーザが希望する電柱を搬送費用をも考慮して、容易に購入できるようにした。【解決手段】管理サーバ１０は、ユーザ端末２０に、ネットワーク４０を介してユーザの希望する電柱の条件を入力するための入力フォームを表示するための表示情報を送信する。管理サーバ１０は、ユーザ端末２０から送られてくる記入済みの入力フォームに書かれた入力情報に適合した電柱を、ＨＤＤ１５から検索して読み出し、読み出された電柱の簿価、およびＡ〜Ｋのいずれかの電柱置き場から建柱場所までの搬送費用を含めた合計価格を算出する。管理サーバ１０は、入力情報に適合した電柱が合計価格が安価な順に並べられたた一覧の表示情報をユーザ端末２０に送信する。【選択図】          図１
2007141073.tif 000002
【特許請求の範囲】
【請求項１】
ユーザ端末にネットワークを介して接続され、複数の電柱置き場に置かれている電柱に係わる電柱情報を管理する管理サーバからなり、
上記管理サーバは、
上記各電柱の規格、上記各電柱の価格、上記各電柱が置かれている上記各電柱置き場の位置情報、および上記各電柱置き場から複数の所定地域までの搬送費用を少なくとも含む上記電柱情報を記憶する記憶部と、
電柱の規格、電柱の建柱予定日、電柱の建柱場所を少なくとも含む入力情報を上記ユーザ端末から受信する受信制御部と、
上記受信制御部が受信した上記入力情報に適合する電柱の電柱情報を上記記憶部から読み出し、該電柱の価格と該電柱を所有する電柱置き場の位置情報が示す位置から上記建柱場所までの搬送費用との合計価格を算出する算出部と、
上記入力情報に適合する電柱の上記電柱情報および上記合計価格を含む表示情報を、上記ネットワークを介して上記ユーザ端末に送信する送信制御部とを有する
ことを特徴とする電柱情報提供装置。
【請求項２】
上記表示情報は、上記入力情報に適合する電柱を、上記算出部が算出した上記合計価格が安価な順番に表示するように生成されている
ことを特徴とする請求項１に記載の電柱情報提供装置。
【請求項３】
上記表示情報は、上記入力情報に適合する電柱に、該電柱と同じ規格の新品電柱の価格を併せて表示するように生成されている
ことを特徴とする請求項１に記載の電柱情報提供装置。
【請求項４】
ユーザ端末にネットワークを介して接続され、複数の電柱置き場に置かれている電柱に係わる電柱情報を管理する管理サーバを用いた電柱情報提供方法であって、
上記管理サーバが、
電柱の規格、電柱の建柱予定日、電柱の建柱場所を少なくとも含む入力情報を上記ユーザ端末から受信する受信制御ステップと、
上記各電柱の規格、上記各電柱の価格、上記各電柱を所有する上記各電柱置き場の位置情報、および上記各電柱置き場から複数の所定地域までの搬送費用を少なくとも含む上記電柱情報を記憶する記憶部から、上記受信制御部が受信した上記入力情報に適合する電柱の電柱情報を読み出す読み出しステップと、
上記入力情報に適合する電柱の価格と該電柱を所有する電柱置き場の位置情報が示す位置から上記建柱場所までの搬送費用との合計価格を算出する算出ステップと、
上記入力情報に適合する電柱の上記電柱情報および上記合計価格を含む表示情報を、上記ネットワークを介して上記ユーザ端末に送信する送信制御ステップとを実行する
ことを特徴とする電柱情報提供方法。
【発明の詳細な説明】
【技術分野】
【０００１】
この発明は、複数の電柱置き場に置かれている電柱に係わる電柱情報を、管理サーバを用いて、ネットワークを介して接続されたユーザ端末に送信する電柱情報提供装置および電柱情報提供方法に関する。
【０００２】
詳しくは、この発明は、複数の電柱置き場に置かれている電柱の電柱情報を管理する管理サーバが、ネットワークを介して接続されたユーザ端末から送られてくる入力情報に適合する電柱の価格と、電柱が置かれている電柱置き場の位置情報が示す位置から建柱場所までの搬送費用との合計価格を算出し、ユーザ端末に入力情報に適合する電柱の電柱情報および合計価格を含む表示情報を送信することによって、ユーザが希望の電柱を搬送費用をも考慮して、容易に購入できるようにした電柱情報提供装置等に係わるものである。
【背景技術】
【０００３】
従来、インターネット等のネットワークを利用したインターネットショッピングやオークションにおいては、管理サーバが、ネットワークを介して接続されたユーザ端末にユーザの入力情報に基づいて、複数出品者が扱う商品のうち、安価なものを選択してユーザに提供することがあった。
【０００４】
しかし、商品の価格が安価なものが提供されたとしても、実際には、出品者の住所からユーザの住所までの距離によっては、商品の搬送費用が嵩み、搬送費用との合計価格が予想以上に高くなってしまうことがあった。また、場合によっては、搬送費用を含めた合計価格で考えると、商品の価格が多少高くても、住所が近い他の出品者が出品する商品を購入した方が、価格が低くなることがあった。
【０００５】
そこで、特許文献１では、携帯端末を利用して、購入希望者（ユーザ）の位置情報に基づいて出品者の住所からユーザの住所までの搬送費用を算出し、この搬送費用および商品の購入希望金額の合計価格に基づいて出品者の住所に近い購入希望者を決定し、物品の搬送費用を抑制することができるオークションシステムが提案されている。
【０００６】
【特許文献１】特開２００３−２７１８４６号公報
【発明の開示】
【発明が解決しようとする課題】
【０００７】
しかし、特許文献１の発明は、出品者が搬送費用を負担するオークションシステムであり、出品者の住所からユーザの住所までの搬送費用を算出し、一番住所が近いユーザを落札者として決定することで、出品者が負担する搬送費用を抑制することはできたものの、ユーザが搬送費用を負担する場合に関しては何ら開示されていなかった。
【０００８】
このため、ユーザが搬送費用を負担する場合は、ユーザの入力情報に基づいて提供された商品が安価なものから、ユーザが各出品者の住所に基づいて搬送費用をいちいち計算して、搬送費用を含めた合計価格が安価な商品を探さなければならなかった。
【０００９】
この発明の目的は、ユーザが希望する電柱を搬送費用をも考慮して容易に提供することにある。
【課題を解決するための手段】
【００１０】
この発明の概念は、
ユーザ端末にネットワークを介して接続され、複数の電柱置き場に置かれている電柱に係わる電柱情報を管理する管理サーバからなり、
上記管理サーバは、
上記各電柱の規格、上記各電柱の価格、上記各電柱が置かれている上記各電柱置き場の位置情報、および上記各電柱置き場から複数の所定地域までの搬送費用を少なくとも含む上記電柱情報を記憶する記憶部と、
電柱の規格、電柱の建柱予定日、電柱の建柱場所を少なくとも含む入力情報を上記ユーザ端末から受信する受信制御部と、
上記受信制御部が受信した上記入力情報に適合する電柱の電柱情報を上記記憶部から読み出し、該電柱の価格と該電柱を所有する電柱置き場の位置情報が示す位置から上記建柱場所までの搬送費用との合計価格を算出する算出部と、
上記入力情報に適合する電柱の上記電柱情報および上記合計価格を含む表示情報を、上記ネットワークを介して上記ユーザ端末に送信する送信制御部とを有する
ことを特徴とする電柱情報提供装置にある。
【００１１】
この発明において、電柱情報提供装置は、管理サーバからなり、管理サーバは、複数の電柱置き場に置かれている電柱に係わる電柱情報を管理している。管理サーバはネットワークを介して、例えば、複数のユーザ端末に接続されている。ユーザとは、この場合、電柱の購入希望者のことをいう。電柱購入希望者は、例えば、電力会社である。
【００１２】
管理サーバは、記憶部を有しており、各電柱置き場に置かれている複数の電柱の電柱情報を記憶している。電柱情報とは、少なくとも、これら各電柱の規格、各電柱の価格、各電柱が置かれている電柱置き場の位置情報、および各電柱置き場から複数の所定地域、つまり搬送可能な地域までの搬送費用を含んでいる。
【００１３】
管理サーバは、ネットワークを介してユーザ端末から送られてくるユーザの入力情報を受信する。この入力情報は、ユーザが購入を希望する電柱の規格、電柱の建柱を予定している建柱予定日、電柱の建柱を行う建柱場所を少なくとも含んでいる。
【００１４】
管理サーバは、ユーザから送られてくるこのような入力情報に適合する電柱の電柱情報を記憶部から読み出す。管理サーバは、この後、この電柱の価格（簿価）と、この電柱置き場の位置情報が示す位置から、ユーザ端末から送られてくる電柱の建柱場所までの搬送費用との合計価格を算出する。
【００１５】
管理サーバは、適合する電柱の電柱情報および算出された合計価格を含む表示情報を、ネットワークを介してユーザ端末に送信する。
【００１６】
例えば、送信される表示情報は、適合する電柱が複数ある場合には、これらの適合する電柱を、電柱の価格および建柱場所までの搬送費用の合計価格が安価な順番に表示されるように生成されている。このように安価な順番に表示されることによって、ユーザは、安価な電柱を容易に知ることができる。
【００１７】
また、例えば、この表示情報は、読み出された電柱が、例えば、中古のものであれば、新品の電柱の価格を併せて表示するように生成されている。このように、新品電柱の価格が併せて表示されると、価格の比較がしやすく、便利である。
【００１８】
以上のように、管理サーバが、ユーザ端末から送られてくる入力情報に適合する電柱の価格とこの電柱が置かれている電柱置き場の位置情報が示す位置から、電柱の価格と建柱場所までの搬送費用との合計価格を算出し、ユーザ端末に合計価格を含んだ表示情報を送信することによって、ユーザが希望する電柱を搬送費用をも考慮して容易に提供することができる。
【発明の効果】
【００１９】
この発明によれば、複数の電柱置き場に置かれている電柱の電柱情報を管理する管理サーバが、ネットワークを介して接続されたユーザ端末から送られてくる入力情報に適合する電柱の価格と、電柱が置かれている電柱置き場の位置情報が示す位置から建柱場所までの搬送費用との合計価格を算出し、ユーザ端末に適合する電柱の電柱情報および合計価格を含んだ表示情報を送信するものであり、ユーザが希望する電柱を搬送費用をも考慮して容易に提供することができる。
【発明を実施するための最良の形態】
【００２０】
以下、図面を用いてこの発明の実施の形態について説明する。
【００２１】
図１は、電柱情報提供システム１００の構成を示す図である。以下、図１を用いて、電柱情報提供システム１００の構成を説明する。
【００２２】
電柱情報提供システム１００は、管理サーバ１０と、この管理サーバ１０とインターネット等のネットワーク４０を介して接続された複数のユーザ端末２０、および各Ａ〜Ｋ電柱置き場に設けられた電柱置き場端末３０Ａ〜３０Ｋとからなる。なお、Ａ〜Ｋ電柱置き場に１対１に対応して端末が置かれている必要はない。管理サーバ１０は、この場合、電柱情報提供装置を構成している。
【００２３】
また、図２は管理サーバ１０、ユーザ端末２０、および電柱置き場端末３０Ａ（３０Ｂ〜３０Ｋも同じ構成）の詳細な構成を示している。以下、図１および図２を用いて電柱情報提供システム１００を詳しく説明する。
【００２４】
管理サーバ１０は、図２に示すように、ＣＰＵ（Central Processing Unit）１１と、ＲＡＭ（Random Access Memory）１２と、ＲＯＭ（Read Only Memory）１３と、ネットワークＩ／Ｆ（Interface）１４ａと、入出力Ｉ／Ｆ（Interface）１４ｂと、記憶部としてのＨＤＤ（Hard Disk Drive）１５とを有しており、これらはバス１９に接続されている。また、入出力Ｉ／Ｆ１４ｂには、ユーザーインターフェイスとしてのキーボード１６と、マウス１７と、ディスプレイ１８とが接続されている。
【００２５】
ＣＰＵ１１は、管理サーバ１０の全体の動作を制御するものである。ＲＡＭ１２は、ＣＰＵ１１のワーキングエリアとして機能する。ＲＯＭ１３は、ＣＰＵ１１の動作を制御するための、制御プログラムやデータ等を格納している。ＣＰＵ１１は、ＲＯＭ１３に格納されている制御プログラムを必要に応じて読み出し、ＲＡＭ１２に転送して展開する。そして、ＣＰＵ１１は、ＲＡＭ１２に展開された制御プログラムを読み出して実行することで、管理サーバ１０の各部を制御する。
【００２６】
また、ＲＯＭ１３は、各電柱を所有する各Ａ〜Ｋ電柱置き場の位置情報および各Ａ〜Ｋの電柱置き場から複数の地域までの搬送費用を示す表を記憶している。複数の地域とは、各Ａ〜Ｋの電柱置き場から搬送可能な複数の地域である。ＲＯＭ１３は記憶部を構成している。
【００２７】
ネットワークＩ／Ｆ１４ａは、ネットワーク４０を介してデータの送受信を行うためのインターフェイスである。また、入出力Ｉ／Ｆ１４ｂは、データのやり取りの制御方法などを規定する。キーボード１６やマウス１７によって操作された入力情報は、入出力Ｉ／Ｆ１４ｂを介してＣＰＵ１１によって処理される。また、ＣＰＵ１１によって制御される表示情報も、入出力Ｉ／Ｆ１４ｂを介してディスプレイ１８に表示される。ディスプレイ１８は、ＬＣＤ（Liquid Crystal Display）等の表示器によって構成されている。
【００２８】
ＨＤＤ１５は、後述するが、それぞれ電柱置き場端末３０Ａ〜３０Ｋから送られてくる、この電柱を所有する電柱置き場を特定するための識別情報に基づいて、規格、製造年、抜柱年月日、使用期間、商品のランク、電柱本体の価格である簿価、電柱置き場名、および各電柱の写真を、電柱を管理するために付与された管理番号に基づいて、記憶している。ＨＤＤ１５は記憶部を構成している。
【００２９】
ユーザ端末２０は、同じく図２に示すように、ＣＰＵ２１と、ＲＡＭ２２、ＲＯＭ２３、ネットワークＩ／Ｆ２４ａ、入出力Ｉ／Ｆ２４ｂ、ＨＤＤ２５とを有しており、これらはバス２９に接続されている。また、入出力Ｉ／Ｆ２４ｂには、キーボード２６と、マウス２７と、ディスプレイ２８とが接続されている。各部の構成および動作については、上述した管理サーバ１０の対応する部分と同じであるので、その詳細については説明を省略する。
【００３０】
また、電柱置き場端末３０Ａ〜３０Ｋも、同じく図２に示すように、ＣＰＵ３１と、ＲＡＭ３２と、ＲＯＭ３３と、ネットワークＩ／Ｆ３４ａと、入出力Ｉ／Ｆ３４ｂと、ＨＤＤ３５とを有しており、これらはバス３９に接続されている。
【００３１】
電柱が抜柱されることになると、抜柱前に電柱の写真がディジタルカメラ等を用いて撮影される。抜かれた電柱には、規格、製造年、抜柱年月日、使用期間、商品のランク、簿価、および置き場名がキーボード１６またはマウス１７を用いて入力される。また、電柱は、抜柱後にディジタルカメラ等を用いて再度撮影され、上述したように入力された情報とともにＨＤＤ３５に一時的に記憶される。
【００３２】
ＨＤＤ３５で一時的に記憶されたディジタルカメラで撮影された写真、および上述した入力情報は、ネットワークＩ／Ｆ３４ａ、ネットワーク４０を介して管理サーバ１０に送信される。
【００３３】
なお、電柱置き場に端末が備えられていない場合は、電話連絡やファクシミリ等を用いて管理サーバ１０に入力情報を伝えて、写真を送り、管理サーバ１０付近にいる人間によって入力が行われ、ＨＤＤ１５に記憶される。
【００３４】
その他各部の構成および動作については、上述した管理サーバ１０およびユーザ端末２０の対応する部分と同一であるので、その詳細については説明を省略する。
【００３５】
図３は、ユーザが電柱を購入する際の、ユーザ端末２０のＣＰＵ２１の動作を示すフローチャートである。以下、図３を用いて、ＣＰＵ２１の動作を説明する。
【００３６】
ＣＰＵ２１は、ステップＳＴ１で、まずユーザによってキーボード２６を用いて所定のＵＲＬ（Uniform Resource Locator）が入力され、電柱の購入受付を行っているホームページにアクセスされることで、動作をスタートする。ＣＰＵ２１は、管理サーバ１０からネットワーク４０を介して送られてくる、ユーザが希望する電柱の条件を入力するための入力フォームを含む表示情報を、ステップＳＴ２で、ディスプレイ２８に表示する。
【００３７】
図４は、ステップＳＴ２で表示される入力フォームの表示例である。ディスプレイ２８に表示されたこの入力画面を見たユーザによって、建柱を予定する日にちおよび建柱場所がキーボード２６を用いて入力される。また、希望する電柱の検索条件が中古、新品、もしくは中古および新品のうちからマウス２７を用いて選択される。さらに、希望する規格も同様にマウス２７を用いて選択され、全てを入力および選択したら、マウス２７を用いて検索ボタンがクリックされる。
【００３８】
また、図４には、環境貢献金額の一覧が記されている。環境貢献金額とは、中古品を再使用したことで、資源が節約されたことを示す指標であり、ここに記されている金額が電柱の価格と相殺されるわけではない。
【００３９】
検索ボタンがクリックされると、ＣＰＵ２１は、ステップＳＴ３で入力済みの図４に示す入力フォームを、ネットワークＩ／Ｆ２４ａ、ネットワーク４０を介して管理サーバ１０に送信する。
【００４０】
次に、ＣＰＵ２１は、ステップＳＴ４で、管理サーバ１０から送られてくるステップＳＴ３で送信した入力情報に基づいた検索結果の一覧を表示する表示情報を、ネットワークＩ／Ｆ２４ａを介して受信し、バス２９を通してディスプレイ２８に表示する。
【００４１】
図５は、ステップＳＴ４で受信した、検索結果の一覧を表示した表示例である。図５に示すように、ディスプレイ２８の画面には、検索した結果見つかった件数（この場合３件）、各電柱の管理番号、各電柱が置かれている電柱置き場名、建柱場所までの搬送費用を含めた合計価格が表示されている。
【００４２】
図５に示す表示例は、上述したように、検索した結果３件しか見つからなかった場合の表示例であるが、５件以上見つかった場合は、合計価格が安価な順番に１つの画面に４つずつ並べられて表示される。
【００４３】
このとき、図５に示す画面には、例えば右下に、「次の４件を表示する」というボタンが設けられており、このボタンがユーザによってマウス２７で選択されることで、図示しないが、図５に示すページよりも価格の高い電柱がディスプレイ２８に表示される。合計価格だけでなく、簿価と搬送費用を併せて表示するようにしてもよい。
【００４４】
また、同じ規格および同じ価格の電柱が、例えば、Ａ電柱置き場に複数本あった場合は、図５に示す画面に、Ａ電柱置き場に置かれており、同じ規格および同じ価格の電柱を最多４つまで並べて表示するようにしてもよい。
【００４５】
ユーザが図５に示す表示例を見て、詳細表示を希望する場合は、画面下にある「詳細表示」と書かれたボタンがマウス２７でクリックされる。ＣＰＵ２１は、ユーザによって、「詳細表示」と書かれたボタンがマウス２７でクリックされると、ステップＳＴ５で詳細表示を希望したと判断し、バス２９を通じてネットワークＩ／Ｆ２４ａ、ネットワーク４０を介して管理サーバ１０に送信され、これに応じて管理サーバ１０から送られてくる詳細な表示情報を、ステップＳＴ６でディスプレイ２８に表示する。
【００４６】
逆に、図５に示す画面の左上に表示された、「戻る」と書かれたボタンがマウス２７でクリックされると、ＣＰＵ２１は、ステップＳＴ５で詳細表示を希望していないと判断し、ステップＳＴ２に戻り、図４に示す入力フォームを再度表示する。
【００４７】
図６は、詳細情報を表示した表示例である。ステップＳＴ６では、図６に示す表示例がディスプレイ２８に表示される。図６に示すように、ディスプレイ２８の画面は４つのブロックに均等に分割され、最多４つの電柱が表示される。これら４つのブロックには、管理サーバ１０によってユーザの入力情報に基づいて検索された電柱のうち、合計価格が安い順番に、４つの電柱が表示されている。
【００４８】
なお、上述したように図５でＡ電柱置き場に同じ規格および同じ価格の電柱が複数本あった場合は、図６に示す画面上においても、最多４本ずつ詳細情報が表示される。
【００４９】
図５に示す場合は、上述したように、電柱は３本しか表示されていないので、一つのブロックは空白になっている。
【００５０】
図６に示すように、抜柱前と抜柱後の電柱の写真が表示されている。このように抜柱前の写真および抜柱後の写真が表示されると、その電柱が抜柱前にどのように使用されていたのかがわかりやすい。例えば、画面の左下のブロックにある電柱には、抜柱前に看板が取り付けられていたことがわかる。
【００５１】
ユーザが、図６に示すように、詳細を表示したい電柱にマウス２７を移動させてポインタを合わせると、（１）管理番号、（２）規格、（３）製造年、（４）抜柱年月日、（５）使用期間、（６）良品ランク（Ａ〜Ｃ）、（７）簿価、（８）電柱置き場名が、ふきだしの中に表示される。ユーザが購入を希望する電柱があると判断する場合は、その電柱が表示されているブロックがマウス２７を用いてクリックされる。
【００５２】
ユーザによって所定のブロックがクリックされると、ＣＰＵ２１はステップＳＴ７でユーザがその電柱の購入を希望したと判断しこの指定された情報を、バス２９を通してネットワークＩ／Ｆ２４ａへ送り、ネットワーク４０を介して管理サーバ１０に送信する。
【００５３】
ＣＰＵ２１は、ステップＳＴ８で、管理サーバ１０から送られてくる確認および連絡先を入力するための入力フォームをディスプレイ２８に表示する。逆に、画面の右上にある「戻る」のボタンがクリックされると、ＣＰＵ２１は、ステップＳＴ７で、図６に示す電柱の購入を希望していないと判断し、ステップＳＴ４に戻り、再度図５に示す一覧をディスプレイ２８に表示する。
【００５４】
図７は、ステップＳＴ８で表示される購入する電柱の確認画面の表示例である。図７に示すように、図６で示した電柱の（１）〜（８）の項目を再度確認することができる。また、画面の下方には、連絡先を入力するための入力フォームがある。ユーザによって連絡先の電話番号もしくはＥメールアドレスが入力されて、「購入申し込み決定」と書かれたボタンがマウス２７を用いてクリックされる。
【００５５】
ＣＰＵ２１は、「購入申し込み決定」のボタンがマウス２７でクリックされると、ステップＳＴ９でこの入力フォームに入力された入力情報を管理サーバ１０に送信する。ＣＰＵ２１は、管理サーバ１０から送られてくる申し込み完了を通知する表示情報を受信し、ステップＳＴ１０で申し込みが完了したことをディスプレイ２８に表示する。
【００５６】
この表示情報には、「続けて申し込みを行う」と書かれたボタンが併せて表示され、ユーザによってこのボタンがマウス２７を用いてクリックされると、ステップＳＴ１１でＣＰＵ２１は、続けて申し込みを行うと判断し、ステップＳＴ４に戻って、図５に示す表示例をディスプレイ２８に表示する。
【００５７】
逆に、このボタンがクリックされなかった場合は、ステップＳＴ１２で所定時間が経過したと判断された後、ステップＳＴ１３で一連の処理を終了する。ＣＰＵ２１がステップＳＴ１２で所定時間が経過していないと判断するときは、ステップＳＴ１１に戻り、同じ動作を繰り返す。
【００５８】
図８は、ユーザがユーザ端末２０を用いて中古の電柱を購入する際の、管理サーバ１０のＣＰＵ１１の動作を示すフローチャートである。次に、図８を用いて、管理サーバ１０のＣＰＵ１１の動作について説明する。
【００５９】
まず、ＣＰＵ１１は、ステップＳＴ２１で、ユーザ端末２０から、電柱の購入受付を行っているホームページにアクセスがあることで、動作をスタートする。ＣＰＵ１１は、ステップＳＴ２２で、ユーザが購入を希望する電柱の条件を入力する図４に示す入力画面の表示情報をネットワークＩ／Ｆ１４ａ、ネットワーク４０を介してユーザ端末２０に送信する。
【００６０】
次に、ＣＰＵ１１は、ステップＳＴ２３でユーザ端末２０から入力済みの入力フォーム（入力情報）を受信したか否かを判断する。ステップＳＴ２３で、ＣＰＵ１１が入力情報を受信していないと判断する場合は、ステップＳＴ２３の動作を繰り返す。
【００６１】
ステップＳＴ２３で、ＣＰＵ１１が入力情報を受信したと判断すると、ステップＳＴ２４で、その入力情報に基づいて、適合する電柱をＨＤＤ１５に記憶された複数の電柱の中から検索する。このとき、ＣＰＵ１１は受信制御部を構成している。
【００６２】
ＣＰＵ１１は、ステップＳＴ２４で電柱をＨＤＤ１５が記憶する複数の電柱の中から検索し、ステップＳＴ２５で、適合する電柱があるか否かを判断する。ステップＳＴ２５で、ＣＰＵ１１が適合する電柱がないと判断する場合は、ステップＳＴ２６で、代わりに使用し得る、規格が似た電柱があるかを検索する。
【００６３】
ステップＳＴ２７で、ＣＰＵ１１が、規格が似た電柱がないと判断すると、ステップＳＴ２３でユーザ端末２０から送られてくる入力情報で、ユーザが中古の電柱の購入を希望していた場合は、ステップＳＴ２８で、新規の電柱を検索する。この後、ステップＳＴ２９に進む。
【００６４】
ちなみに、ステップＳＴ２３でユーザ端末２０から送られてくる図４に示す入力情報で、ユーザが新品電柱の購入を希望していた場合は、ステップＳＴ２５を経ることなくステップＳＴ２８に進む。
【００６５】
逆に、ステップＳＴ２７で、ＣＰＵ１１が、規格が似た電柱があると判断すると、ステップＳＴ２９に進む。また、ステップＳＴ２５で、ＣＰＵ１１が、ユーザ端末２０から送られてきた入力情報に適合する電柱があると判断する場合も、ステップＳＴ２９に進む。
【００６６】
ステップＳＴ２９では、ＣＰＵ１１は、読み出された電柱が置かれている電柱置き場の位置情報および、ユーザの入力情報に含まれる建柱場所に基づいて、ＲＯＭ１３が記憶する、各Ａ〜Ｋ電柱置き場の位置情報および各Ａ〜Ｋ電柱置き場から入力フォームに記入された建柱場所までの搬送費用を読み出し、電柱の価格と搬送費用との合計価格をそれぞれ算出する。このとき、ＣＰＵ１１は算出部を構成している。
【００６７】
次に、ＣＰＵ１１は、ステップＳＴ３０で、電柱の価格と搬送費用との合計価格が算出された電柱を合計価格が安価な順に、１つの画面に４つずつ並べて表示されるような表示情報を、ネットワーク４０を介してユーザ端末２０に送信する。図３のフローチャートを用いて説明したように、ユーザ端末２０は、この表示情報をネットワークＩ／Ｆ２４ａで受信し、ユーザ端末２０のディスプレイ２８には、図５に示す表示例が表示される。このとき、ＣＰＵ１１は送信制御部を構成している。
【００６８】
ユーザによって図５に示す「詳細表示」ボタンがマウス２７で選択されると、ＣＰＵ１１は、ステップＳＴ３１でユーザが詳細情報を希望していると判断し、ステップＳＴ３２で図６に示す表示情報を、ネットワーク４０を介してユーザ端末２０に送信する。
【００６９】
また、ユーザによって図５に示す「戻る」ボタンが選択されると、ＣＰＵ１１はステップＳＴ３１で、ユーザが詳細情報を希望していないと判断し、ステップＳＴ２２に戻り、図４に示す入力フォームの表示情報を再度送信する。
【００７０】
次に、ユーザによって、図６に示す４つの電柱が表示された４つのブロックのうち、マウス２７を用いて所定のブロック内に表示された電柱が選択されると、ＣＰＵ１１はステップＳＴ３３で、ユーザが購入を希望していると判断し、ステップＳＴ３３で連絡先を入力するための入力フォームを含んだ確認画面の表示情報を送信する。この後、ステップＳＴ３５に進む。
【００７１】
ユーザによって、図６に示す「戻る」ボタンが選択されると、ＣＰＵ１１はステップＳＴ３３でユーザが購入を希望していないと判断し、ステップＳＴ３９で所定時間、例えば１０分が経過されたと判断すると、ステップＳＴ４０で一連の処理を終了する。
【００７２】
ステップＳＴ３９でＣＰＵ１１が、所定時間が経過されていないと判断すると、ステップＳＴ３３に戻り、同じ動作を繰り返す。
【００７３】
ＣＰＵ１１はステップＳＴ３４で表示情報を送信した後、ユーザの連絡先が入力された入力フォームを受信し、ステップＳＴ３５で、申し込みが完了したことを示す申し込み完了の表示情報をユーザ端末２０に送信する。
【００７４】
次に、ステップＳＴ３６でＡ〜Ｋ電柱置き場のうち、この電柱を所有している所定の電柱置き場にＥメールを送信する。Ｅメールの内容は、ステップＳＴ２３でユーザ端末２０から送られてくる入力フォーム等に基づくものであり、所定の電柱置き場にいるスタッフがＥメールを受信し、直接ユーザと電話連絡等を行って、最終的な調整を行う。
【００７５】
ステップＳＴ３５で送信した表示情報には、上述したように、「続けて申し込みをする」と書かれたボタンが表示され、このボタンがユーザによってマウス２７を用いて選択されると、ＣＰＵ１１は、ステップＳＴ３７で続けて申し込みを希望していると判断し、ステップＳＴ３０で表示した一覧の表示情報を再度ユーザ端末２０に送信する。この後、ステップＳＴ３０〜３７の動作を繰り返す。
【００７６】
ＣＰＵ１１がステップＳＴ３７で続けて申し込みを希望していないと判断すると、ステップＳＴ３８で所定時間、例えば１０分が経過したかを判断し、経過していない場合は、ステップＳＴ３７およびステップＳＴ３８の動作を繰り返す。
【００７７】
ステップＳＴ３８でＣＰＵ１１が、所定時間が経過したと判断した場合は、ステップＳＴ４０で一連の処理を終了する。
【００７８】
以上のように、管理サーバ１０を用いてネットワーク４０を介して接続されたユーザ端末２０に、ユーザが希望する電柱を、電柱の簿価と搬送費用との合計価格が安価な順番に整列された表示情報が送信されるので、ユーザは自分で搬送費用をいちいち計算する必要がなく、容易に安価な電柱を知ることができる。
【００７９】
なお、上述の実施の形態においては、ステップＳＴ３７で電柱を所有する所定の電柱置き場にＥメールを送信するようにしたが、一般的なインターネットを用いたオークションシステムのように、ユーザ端末２０のキーボード２６でクレジットカードの番号を入力して決済を行うようにしてもよい。
【産業上の利用可能性】
【００８０】
この発明は、管理サーバが複数の電柱置き場に置かれている電柱の電柱情報を管理するものであり、電柱の購入を希望しているユーザのユーザ端末に希望の電柱の電柱情報を提供する際に適用できる。
【図面の簡単な説明】
【００８１】
【図１】電柱情報提供システム１００の構成を示す図である。
【図２】管理サーバ１０、ユーザ端末２０、および電柱置き場端末３０Ａ〜３０Ｋの詳細な構成を示す図である。
【図３】ユーザ端末２０のＣＰＵ２１の動作を示すフローチャートである。
【図４】入力フォームを表示した表示例である。
【図５】検索結果の一覧を表示した表示例である。
【図６】詳細情報を表示した表示例である。
【図７】購入する電柱の確認および連絡先を入力するための入力フォームを表示した表示例である。
【図８】管理サーバ１０のＣＰＵ１１の動作を示すフローチャートである。
【符号の説明】
【００８２】
１０…管理サーバ、１１，２１，３１…ＣＰＵ、１２，２２，３２…ＲＡＭ、１３，２３，３３…ＲＯＭ、１４ａ，２４ａ，３４ａ…ネットワークＩ／Ｆ、１４ｂ，２４ｂ，３４ｂ…入出力Ｉ／Ｆ、１５，２５，３５…ＨＤＤ、１６，２６，３６…キーボード、１７，２７，３７…マウス、１８，２８，３８…ディスプレイ、１９，２９，３９…バス、２０…ユーザ端末、３０Ａ〜３０Ｋ…電柱置き場端末、４０…ネットワーク、１００…電柱情報提供システム
【図１】
2007141073.tif 000003
【図２】
2007141073.tif 000004
【図３】
2007141073.tif 000005
【図４】
2007141073.tif 000006
【図５】
2007141073.tif 000007
【図６】
2007141073.tif 000008
【図７】
2007141073.tif 000009
【図８】
2007141073.tif 000010